(57)【要約】【課題】熱可塑性発泡樹脂製の床面材の内部に支持材を設けることによって床面材の下方への沈み込みを抑制する場合にも、床面材を安定して取り付けられる浴室洗い場床構造を提供する。【解決手段】熱可塑性発泡樹脂により形成された床面材と、床面材の上に設けられ洗い場床の表面を形成する表面材と、を有する床本体と、外枠と、外枠の内側を格子状に仕切る格子部と、高さ調整可能な支持脚と、を有し、床本体を下方から支持するフレーム体と、床面材に設けられ、床面材よりも高い剛性を有し、床面材の沈み込みを抑制する支持材と、を備え、床面材は、支持材の少なくとも一部を下方に露出させた状態で支持材を保持し、支持材は、下方に露出する露出部を有し、フレーム体の少なくとも一部は、支持材の露出部の下方に配置され、露出部を介して床面材を下方から支持することを特徴とする浴室洗い場床構造である。【選択図】図５
2020101000.tif 000002
【特許請求の範囲】
【請求項１】
熱可塑性発泡樹脂により形成された床面材と、前記床面材の上に設けられ洗い場床の表面を形成する表面材と、を有する床本体と、
外枠と、前記外枠の内側を格子状に仕切る格子部と、高さ調整可能な支持脚と、を有し、前記床本体を下方から支持するフレーム体と、
前記床面材に設けられ、前記床面材よりも高い剛性を有し、前記床面材の沈み込みを抑制する支持材と、
を備え、
前記床面材は、前記支持材の少なくとも一部を下方に露出させた状態で前記支持材を保持し、
前記支持材は、下方に露出する露出部を有し、
前記フレーム体の少なくとも一部は、前記支持材の前記露出部の下方に配置され、前記露出部を介して前記床面材を下方から支持することを特徴とする浴室洗い場床構造。
【請求項２】
前記支持材は、少なくとも上面が前記床面材の内部に配置されており、
前記露出部は、前記床面材の下端よりも上方に配置されていることを特徴とする請求項１記載の浴室洗い場床構造。
【発明の詳細な説明】
【技術分野】
【０００１】
本発明は、浴室洗い場床構造に関する。
【背景技術】
【０００２】
断熱性確保のためや、踏み心地の柔らかさ確保のために、浴室の洗い場床の床面材を、発泡床とすることは知られている。一方で、床面材を発泡床とすると、その柔らかさゆえ、人が載った際に、下方へ沈み込みやすくなってしまう。そこで、基材を支える架台の上にデッキプレートを配置することで、床面材の沈み込みを抑制させる技術がある。しかし、このようなものであると、デッキプレートの存在によって、上方からの架台の視認性や施工作業性が悪化してしまう可能性がある。そこで出願人は、発泡床の内部に支持材を配置させることで、デッキプレートが無くとも、発泡床の沈み込みを抑制する技術を考え出した。
【０００３】
例えば、型に支持材を配置した状態で発泡剤を発泡成形させることで、内部に支持材が配置された状態で、床面材を成形することができる。しかし、このような一体成形では、床面材の下面に微細な凹凸が生じてしまう場合がある。こうした床面材の下面の凹凸は、床面材を架台の上に載置する際に、床面材を架台に対して安定して取り付け難くさせてしまう。例えば、床面材のガタツキなどを発生させてしまう恐れがある。
【先行技術文献】
【特許文献】
【０００４】
【特許文献１】特開２０１５−０６８０１８号公報
【発明の概要】
【発明が解決しようとする課題】
【０００５】
本発明は、かかる課題の認識に基づいてなされたものであり、熱可塑性発泡樹脂製の床面材の内部に支持材を設けることによって床面材の下方への沈み込みを抑制する場合にも、床面材を安定して取り付けられる浴室洗い場床構造を提供することを目的とする。
【課題を解決するための手段】
【０００６】
第１の発明は、熱可塑性発泡樹脂により形成された床面材と、前記床面材の上に設けられ洗い場床の表面を形成する表面材と、を有する床本体と、外枠と、前記外枠の内側を格子状に仕切る格子部と、高さ調整可能な支持脚と、を有し、前記床本体を下方から支持するフレーム体と、前記床面材に設けられ、前記床面材よりも高い剛性を有し、前記床面材の沈み込みを抑制する支持材と、を備え、前記床面材は、前記支持材の少なくとも一部を下方に露出させた状態で前記支持材を保持し、前記支持材は、下方に露出する露出部を有し、前記フレーム体の少なくとも一部は、前記支持材の前記露出部の下方に配置され、前記露出部を介して前記床面材を下方から支持することを特徴とする浴室洗い場床構造である。
【０００７】
この浴室洗い場床構造によれば、床面材が、支持材の少なくとも一部を下方に露出させた状態で支持材を保持し、支持材が、下方に露出する露出部を有し、フレーム体の少なくとも一部が、支持材の露出部の下方に配置され、露出部を介して床面材を下方から支持することにより、床面材の下面に凹凸が生じたとしても、床面材を安定してフレーム体（架台）に取り付けることができる。例えば、床面材の下面の凹凸により、床面材にガタツキが発生してしまうことなどを抑制することができる。
【０００８】
第２の発明は、第１の発明において、前記支持材は、少なくとも上面が前記床面材の内部に配置されており、前記露出部は、前記床面材の下端よりも上方に配置されていることを特徴とする浴室洗い場床構造である。
【０００９】
断熱性や強度の観点などから、床面材には、所定の厚さが必要である。例えば、必要な厚さを有する板状の床面材の下面に支持材を設けた場合、洗い場床の高さが、支持材の高さの分だけ不要に高くなってしまう可能性が生じる。一方で、板状の床面材の下面に支持材を設けつつ、洗い場床の高さを抑えるために支持材の高さの分だけ床面材の厚さを薄くすると、床面材の断熱性や強度の低下が懸念される。
【００１０】
この浴室洗い場床構造によれば、少なくとも支持材の上面を床面材の内部に配置し、床面材の下端よりも上方に露出部を配置している。これにより、洗い場床の高さが不要に高くなることを抑制しつつ、支持材の無い部分において床面材に適切な厚さを持たせることができ、床面材において適切な断熱性及び強度を確保することができる。
【発明の効果】
【００１１】
本発明によれば、熱可塑性発泡樹脂製の床面材の内部に支持材を設けることによって床面材の下方への沈み込みを抑制する場合にも、床面材を安定して取り付けられる浴室洗い場床構造を提供することができる。
【図面の簡単な説明】
【００１２】
【図１】実施形態に係る浴室ユニットを模式的に表す斜視図である。
【図２】実施形態に係る浴室ユニットの洗い場床構造を模式的に表す斜視図である。
【図３】実施形態に係る浴室ユニットの洗い場床構造を模式的に表す底面図である。
【図４】実施形態に係る浴室ユニットの洗い場床構造を模式的に表す断面図である。
【図５】実施形態に係る浴室ユニットの洗い場床構造を模式的に表す断面図である。
【図６】図６（ａ）及び図６（ｂ）は、床面材を模式的に表す断面図である。
【図７】実施形態に係る浴室ユニットの洗い場床構造の変形例を模式的に表す断面図である。
【発明を実施するための形態】
【００１３】
以下、実施形態について図面を参照しつつ説明する。なお、各図面中、同様の構成要素には同一の符号を付して詳細な説明は適宜省略する。  
図１は、実施形態に係る浴室ユニットを模式的に表す斜視図である。  
図１に表したように、浴室ユニット２は、洗い場床１０と、浴槽６０と、壁パネル７１ａ〜７１ｆと、を備える。
【００１４】
浴槽６０の底部の裏面における四隅近傍には、支持脚６１が設けられ、その支持脚６１を介して、浴槽６０は浴室設置面（例えば、建物の床）１００の上に設置される。支持脚６１の先端側（下端側）にはボルト部が設けられ、そのボルト部を回転させることで支持脚６１の高さが調整可能となっている。
【００１５】
浴槽６０の横の空間における底部に、洗い場床１０が設置されている。洗い場床１０の表面１５ａは、浴室外部に水を漏出させない防水性を有する。なお、本願明細書において「水」という場合には、冷水のみならず、加温されたお湯も含むものとする。
【００１６】
洗い場床１０の裏側（下方側）において、浴槽６０との境界部近傍には排水配管６２が設けられている。洗い場床１０において、例えば浴槽６０との境界部近傍には、排水配管６２に連通する排水口（図１では、着脱自在の蓋６３で塞がれている）が形成されている。排水口が設けられた部分はくぼんでおり、洗い場床１０の表面１５ａには、排水口に向けて下向き傾斜した排水勾配が付けられている。また、浴槽６０の底部に設けられた図示しない排水口も、排水配管６２に接続されている。
【００１７】
図１において２点鎖線で表すように、浴槽６０のリムの上には壁パネル７１ａ〜７１ｃが設置されている。また、洗い場床１０の周縁部の上には、壁パネル７１ｄ〜７１ｆが設置されている。また、壁パネル７１ｆには図示しないドア取付枠を介してドアが取り付けられる。
【００１８】
浴槽６０と洗い場床１０との境界には、浴槽６０における洗い場床１０側の側面を覆い隠すバスエプロン６７が設けられている。なお、浴槽６０の構造によっては、バスエプロン６７を設けなくてよいものもある。
【００１９】
また、バスエプロン６７の長手方向の一端側と、壁パネル７１ｄとの間には小パネル６５ｂが設けられている。また、バスエプロン６７の長手方向の他端側と、壁パネル７１ｆとの間には小パネル６５ａが設けられている。小パネル６５ａ、６５ｂは、必要に応じて設けられ、省略可能である。
【００２０】
図２は、実施形態に係る浴室ユニットの洗い場床構造を模式的に表す斜視図である。  
図２に表したように、洗い場床１０は、床本体１５と、フレーム体３０と、を備える。床本体１５は、床面材１１と、クッション層１２と、表面材１３とを有する。床面材１１、クッション層１２、及び表面材１３は、いずれも樹脂により形成されている。
【００２１】
床本体１５の床面材１１は、フレーム体３０の上に載置され、フレーム体３０に支持される。床面材１１は、周縁部が上側に折り曲げられた浅底の器状（パン状）に形成されている。
【００２２】
床面材１１は、熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。本実施形態では、一例として発泡ポリプロピレンが用いられている。
【００２３】
床面材１１には、排水口用の開口部２１が形成されている。開口部２１が設けられた部分は、凹形状に形成されている。また、床面材１１の表面には、開口部２１に向けて下方に傾斜した排水勾配が形成されている。
【００２４】
表面材１３は、クッション層１２を介して床面材１１の上に設けられている。クッション層１２は、床面材１１と表面材１３との間に設けられている。クッション層１２には、排水口用の開口部２２が形成されている。
【００２５】
クッション層１２は、使用者に床面の柔らかい使用感を与える。クッション層１２の材料としては、例えば発泡ポリウレタン等の軟質素材が用いられている。クッション層１２の硬さ（柔らかさ）を変えることで、床面の硬さ（柔らかさ）の仕様を変更することができる。
【００２６】
クッション層１２の硬さは、床面材１１の硬さよりも低い。また、クッション層１２の硬さは、表面材１３の硬さよりも低い。換言すれば、クッション層１２の反発弾性は、床面材１１の反発弾性及び表面材１３の反発弾性よりも低い。ここで、反発弾性は、例えば、日本工業規格のＪＩＳ  Ｋ  ６４００−３に規定されている「反発弾性」の測定方法及び測定条件に基づいて決定することができる。この方法では、試験片の上に鋼球を落下させ、跳ね返った高さを測定する。３片の試験片のそれぞれについて、跳ね返った高さの測定値の中央値を求め、それら全体の中央値を「反発弾性」とする。上記の方法で得られるクッション層１２の反発弾性を、床面材１１の反発弾性及び表面材１３の反発弾性よりも低くする。これにより、クッション層１２において、高いクッション性を得ることができる。そして、床本体１５において、良好な踏み心地を得ることができる。
【００２７】
クッション層１２の硬さは、例えば、２５％圧縮した際に、０．０１ＭＰａ〜０．９５ＭＰａ程度の反発力であることが好ましい。クッション層１２の硬さは、例えば、２３℃の環境下において２５％圧縮した際に、０．０６ＭＰａ程度の反発力であることが、より好適である。２５％圧縮とは、例えば、１０ｍｍを７．５ｍｍまで圧縮することである。
【００２８】
表面材１３は、床面材１１及びクッション層１２の上面を覆い、床本体１５（洗い場床１０）の表面１５ａを形成する。表面材１３は、床本体１５の表面１５ａに外観意匠性および防水性を与える。
【００２９】
表面材１３の材料としては、防水性及び可撓性を有する軟質樹脂シート材が用いられている。表面材１３の表面には、床本体１５の表面１５ａの意匠性や水はけ性を向上させるために、凹凸加工や柄模様を施したりすることも可能である。
【００３０】
表面材１３には、排水口用の開口部２３が形成されている。また、表面材１３の表面には、開口部２３に向けて下方に傾斜した排水勾配が形成されている。床面材１１の排水勾配及び表面材１３の排水勾配により、排水口に向けて下方へ傾斜した排水勾配が、床本体１５の表面１５ａに形成される。
【００３１】
フレーム体３０は、床本体１５を下方から支持する。フレーム体３０は、外枠３１と、格子部３２と、支持脚３３とを有する。外枠３１、格子部３２、及び支持脚３３は、例えば、金属製である。外枠３１及び格子部３２は、例えば鋼材を組み合わせて形成され、樹脂から形成されている床本体１５よりも十分に高い強度を有する。但し、外枠３１、格子部３２、及び支持脚３３の材料は、金属に限定されるものではない。外枠３１、格子部３２、及び支持脚３３の材料は、例えば、ＦＲＰ（Fiber-Reinforced Plastics）などの硬質な樹脂材料などでもよい。外枠３１、格子部３２、及び支持脚３３の材料は、床本体１５よりも高い強度を有する任意の材料でよい。
【００３２】
外枠３１は、４本のフレーム３１ａ〜３１ｄを有する。４本のフレーム３１ａ〜３１ｄは、四角形状に組み合わされ、外枠３１の外形（アウトライン）を形成する。フレーム３１ａとフレーム３１ｂとが平行に延び、フレーム３１ｃとフレーム３１ｄとが平行に延びている。４本のフレーム３１ａ〜３１ｄが形成する四角形状領域の面積は、床本体１５が形成する四角形状領域の面積とほぼ同じである。
【００３３】
フレーム３１ａ、３１ｂの長さは、フレーム３１ｃ、３１ｄの長さよりも長い。外枠３１は、例えば、上面視において長方形状である。フレーム３１ａ、３１ｂは、第１水平方向ＨＤ１に延びる。フレーム３１ｃ、３１ｄは、第１水平方向ＨＤ１と直交する第２水平方向ＨＤ２に延びる。第１水平方向ＨＤ１は、例えば、長方形状の外枠３１の長手方向であり、第２水平方向ＨＤ２は、例えば、長方形状の外枠３１の短手方向である。第１水平方向ＨＤ１は、換言すれば、洗い場床１０と浴槽６０とが並ぶ方向と直交する方向であり、第２水平方向ＨＤ２は、換言すれば、洗い場床１０と浴槽６０とが並ぶ方向と平行な方向である。
【００３４】
格子部３２は、外枠３１の内側を格子状に仕切る。格子部３２は、例えば、床本体１５の外枠３１よりも内側の部分を支持することにより、床本体１５の撓みを抑制する。このように、格子部３２を設けることにより、フレーム体３０によって、より適切に床本体１５を支持することができる。
【００３５】
格子部３２は、例えば、複数の第１延在部４１と、複数の第２延在部４２と、を有する。各第１延在部４１は、第１水平方向ＨＤ１に延び、第２水平方向ＨＤ２に並ぶ。各第２延在部４２は、第２水平方向ＨＤ２に延び、第１水平方向ＨＤ１に並ぶ。これにより、格子部３２は、複数の矩形状の隙間が第１水平方向ＨＤ１及び第２水平方向ＨＤ２に並ぶように、外枠３１の内側を仕切る。
【００３６】
また、複数の第１延在部４１の一部４１ａは、フレーム３１ｃとフレーム３１ｄとの間に設けられる。複数の第１延在部４１の別の一部４１ｂは、第２延在部４２の間に設けられる。このように、延在部は、外枠３１のフレーム間の全体に延びてもよいし、外枠３１のフレーム間の一部分のみに延びてもよい。
【００３７】
但し、格子部３２の構成は、上記に限定されるものではない。格子部３２は、例えば、複数の第１延在部４１のみを有する構成でもよいし、複数の第２延在部４２のみを有する構成でもよい。また、複数の延在部の延びる方向は、第１水平方向ＨＤ１及び第２水平方向ＨＤ２と異なる方向でもよい。格子部３２の構成は、外枠３１の内側を格子状に仕切り、床本体１５を適切に支持することができる任意の構成でよい。
【００３８】
フレーム体３０は、例えば、長方形状の外枠３１の四隅に対応して設けられた４本の支持脚３３を有する。各支持脚３３は、格子部３２の下面に設けられている。各支持脚３３は、格子部３２の下面から下方（設置面側）に向かって延びている。各支持脚３３は、外枠３１の下面に設けてもよい。
【００３９】
フレーム体３０は、各支持脚３３を介して設置面１００の上に設置される。各支持脚３３の先端側（下端側）にはボルト部が設けられ、そのボルト部を回転させることで各支持脚３３の高さが調整可能となっている。各支持脚３３の高さ調整により、フレーム体３０の上に支持される床本体１５の設置高さや水平度が調整される。
【００４０】
また、格子部３２には、排水口用の開口部３４が形成されたプレートが設けられている。フレーム体３０、床面材１１、クッション層１２および表面材１３は、それぞれの開口部２１、２２、２３、３４の位置を合わせて重ねられる。各開口部２１、２２、２３、３４の内側には、排水ピットが設けられる。排水ピットは、樹脂により形成され、非透水性を有する。排水ピットの内側には、排水口が設けられる。この排水口は、排水配管６２と接続される。これにより、床本体１５（洗い場床１０）の表面１５ａに流れた水が、排水ピットなどを介して排水配管６２に排水される。
【００４１】
図３は、実施形態に係る浴室ユニットの洗い場床構造を模式的に表す底面図である。  
図４は、実施形態に係る浴室ユニットの洗い場床構造を模式的に表す断面図である。  
図４は、図３のＡ１−Ａ２線断面を模式的に表す。  
図３及び図４に表したように、洗い場床１０は、支持材５０をさらに備える。支持材５０は、床面材１１に設けられる。支持材５０は、例えば、少なくとも上面が床面材１１の内部に配置されている。支持材５０は、例えば、床面材１１の内部に設けられる。支持材５０は、例えば、床面材１１の下部に埋め込まれている。これにより、支持材５０は、床面材１１とともにフレーム体３０の上に載置される。
【００４２】
支持材５０は、床面材１１よりも高い剛性を有する。支持材５０には、例えば、アルミニウム、ステンレス、鉄などの金属材料、あるいは熱硬化性樹脂材料などが用いられる。これにより、支持材５０は、床面材１１の沈み込みを抑制する。
【００４３】
支持材５０は、床本体１５の表面１５ａよりも下方に設けられるとともに、フレーム体３０に対して直接的に固定されることなく、フレーム体３０の上に設けられる。なお、本発明において、支持材５０がフレーム体３０に対して「直接的に固定されている」とは、支持材５０がフレーム体３０に螺子止め固定されていたり、接着剤等で接着固定されていること等である。一方で、本発明において、支持材５０がフレーム体３０に対して「直接的に固定されていない」とは、支持材５０がフレーム体３０に対して「間接的にのみ固定されている」ものも定義に含まれる。例えば、支持材５０が固定されている床本体１５が、フレーム体３０に嵌合固定されているものも、定義に含まれる。
【００４４】
このように、支持材５０は、ネジ止めや接着などによって直接的にフレーム体３０に固定されるものではない。直接的に固定されていない状態とは、例えば、工具などを用いることなく、フレーム体３０に対して容易に着脱できる状態である。例えば、フレーム体３０の上に単純に載っているだけの状態である。支持材５０は、フレーム体３０に対して着脱可能である。
【００４５】
但し、支持材５０は、浴室ユニット２を組み上げた状態においては、例えば、床面材１１及び床本体１５の排水口に設けられた締付フランジ（排水ピットと排水配管６２との接続部材）などを介して間接的にフレーム体３０に固定されている可能性はある。支持材５０は、少なくともフレーム体３０及び床面材１１の施工の段階においては、フレーム体３０に対して固定されることなく着脱可能である。
【００４６】
支持材５０は、複数の第１横支持材５１ａ〜５１ｇと、複数の第２横支持材５２ａ、５２ｂと、を有する。第１横支持材５１ａ〜５１ｇは、第１水平方向ＨＤ１に延び、高さ方向に厚みを有する。第１横支持材５１ａ〜５１ｇの高さ方向の厚みは、例えば、１０ｍｍ以上１５０ｍｍ以下である。第１横支持材５１ａ、５１ｃ、５１ｅ、５１ｆ、５１ｇは、例えば、第１水平方向ＨＤ１に延び、第２水平方向ＨＤ２に並ぶ。同様に、第１横支持材５１ｂ、５１ｄ、５１ｅ、５１ｆ、５１ｇは、例えば、第１水平方向ＨＤ１に延び、第２水平方向ＨＤ２に並ぶ。また、第１横支持材５１ａ、５１ｂは、第１水平方向ＨＤ１に並ぶ。第１横支持材５１ｃ、５１ｄは、第１水平方向ＨＤ１に並ぶ。
【００４７】
第２横支持材５２ａ、５２ｂは、第２水平方向ＨＤ２に延び、第１水平方向ＨＤ１に並ぶ。第２横支持材５２ａ、５２ｂは、高さ方向に厚みを有する。第２横支持材５２ａ、５２ｂの高さ方向の厚みは、例えば、１０ｍｍ以上１５０ｍｍ以下である。第１横支持材５１ａ〜５１ｇは、第２横支持材５２ａ、５２ｂの間に設けられている。
【００４８】
但し、第１横支持材及び第２横支持材の数や配置などは、上記に限ることなく、任意でよい。複数の横支持材の延びる方向は、第１水平方向ＨＤ１や第２水平方向ＨＤ２に限ることなく、任意の水平方向でよい。
【００４９】
第１横支持材５１ａ〜５１ｆは、例えば、断面略矩形の角パイプ状（四角筒状）である。一方、第１横支持材５１ｇは、例えば、断面略円形の丸パイプ状（円筒状）である。また、第２横支持材５２ａ、５２ｂは、例えば、断面略円形の丸パイプ状である。角パイプは、丸パイプと比べて高い剛性を有する反面、丸パイプよりも高価である。従って、床本体１５の表面１５ａが排水勾配を有する場合には、排水口（排水勾配の最下点）に近く、床本体１５の厚さの薄い部分には、角パイプ状の横支持材を用い、外周付近の床本体１５の厚さの厚い部分には、丸パイプ状の横支持材を用いる。例えば、複数の横支持材の中で最も排水口に近い横支持材には、角パイプを用い、複数の横支持材の中で最も排水口から遠い横支持材には、丸パイプを用いる。これにより、床面材１１の沈み込みを適切に抑制しつつ、洗い場床１０の製造コストを抑制することができる。
【００５０】
複数の第１横支持材５１ａ〜５１ｇ及び第２横支持材５２ａ、５２ｂは、上面視において、少なくとも一部がフレーム体３０の外枠３１及び格子部３２と重ならない位置に配置されている。
【００５１】
格子部３２の複数の第１延在部４１は、複数の第１横支持材５１ａ〜５１ｇと同方向に延びる。上面視において、複数の第１延在部４１と複数の第１横支持材５１ａ〜５１ｇとの間隔ＰＴ１は、１０ｃｍ以下である。換言すれば、上面視において、複数の第１延在部４１と複数の第１横支持材５１ａ〜５１ｇとの間に空く隙間の大きさは、１０ｃｍ以下である。ここで、隙間の大きさとは、複数の第１延在部４１と複数の第１横支持材５１ａ〜５１ｇとの間に空く隙間内に収まることが可能な円の最大直径を表す。
【００５２】
格子部３２の複数の第２延在部４２は、複数の第２横支持材５２ａ、５２ｂと同方向に延びる。上面視において、複数の第２延在部４２と複数の第２横支持材５２ａ、５２ｂとの間隔ＰＴ２は、１０ｃｍ以下である。間隔ＰＴ１、ＰＴ２は、より詳しくは、延在部と、これに隣接する横支持材との間隔である。
【００５３】
複数の第１延在部４１の一部の間には、複数の第１横支持材５１ｄ〜５１ｆが配置されている。これにより、複数の第１延在部４１の一部の間隔ＰＴ３を１４ｃｍ以上にすることができる。また、複数の第２延在部４２の一部の間隔ＰＴ４は、１４ｃｍ以上である。
【００５４】
図５は、実施形態に係る浴室ユニットの洗い場床構造を模式的に表す断面図である。  
図５は、図３のＢ１−Ｂ２線断面を模式的に表す。  
図５に表したように、床面材１１は、支持材５０の少なくとも一部を下方に露出させた状態で支持材５０を保持する。
【００５５】
床面材１１は、例えば、支持材５０の一部の下方に延在した延在部１１ｄを有する。延在部１１ｄは、換言すれば、支持材５０の一部の下方を覆い、支持材５０を保持する部分である。延在部１１ｄは、例えば、支持材５０を内部に埋設させた状態で床面材１１を支持材５０と一体成形することによって形成することができる。これにより、支持材５０の少なくとも一部を下方に露出させた状態で支持材５０を保持することができる。但し、支持材５０の保持方法は、上記に限ることなく、支持材５０の少なくとも一部を下方に露出させた状態で保持可能な任意の方法でよい。
【００５６】
支持材５０は、下方に露出する露出部５０ｐを有する。前述のように、支持材５０は、床面材１１の内部に設けられている。露出部５０ｐは、床面材１１の下端１１ａよりも上方に配置されている。露出部５０ｐとは、例えば、支持材５０において、下方に熱可塑性発泡樹脂である床面材１１が設けられていない部分である。
【００５７】
フレーム体３０の少なくとも一部は、支持材５０の露出部５０ｐの下方に配置され、露出部５０ｐを介して床面材１１を下方から支持する。
【００５８】
露出部５０ｐは、例えば、複数の第１横支持材５１ａ〜５１ｇ及び第２横支持材５２ａ、５２ｂのそれぞれに設けられる。フレーム体３０は、複数の第１横支持材５１ａ〜５１ｇ及び第２横支持材５２ａ、５２ｂのそれぞれに設けられた複数の露出部５０ｐの下方に位置する。フレーム体３０は、複数の露出部５０ｐを介して複数の第１横支持材５１ａ〜５１ｇ及び第２横支持材５２ａ、５２ｂのそれぞれを支持することにより、複数の第１横支持材５１ａ〜５１ｇ及び第２横支持材５２ａ、５２ｂを介して床面材１１を下方から支持する。このように、支持材５０は、例えば、複数の露出部５０ｐを有し、複数の露出部５０ｐを介して床面材１１を下方から支持する。
【００５９】
フレーム体３０は、例えば、複数の露出部５０ｐの部分のみを介して床面材１１を下方から支持する。但し、フレーム体３０の一部は、床面材１１の下端１１ａに当接してもよい。フレーム体３０は、少なくとも露出部５０ｐの部分を介して床面材１１を下方から支持していればよく、床面材１１の下端１１ａの部分をさらに下方から支持してもよい。
【００６０】
なお、露出部５０ｐは、必ずしも複数の第１横支持材５１ａ〜５１ｇ及び第２横支持材５２ａ、５２ｂの全てに対して設けなくてもよい。露出部５０ｐは、複数の第１横支持材５１ａ〜５１ｇ及び第２横支持材５２ａ、５２ｂの少なくともいずれかに設けられていればよい。例えば、支持材５０が１つの部材で構成されている場合などには、露出部５０ｐは、必ずしも複数設けなくてもよい。露出部５０ｐの数は、１つでもよい。
【００６１】
図３〜図５に表したように、洗い場床１０は、クッション部５４をさらに備える。クッション部５４は、支持材５０とフレーム体３０との間に設けられる。クッション部５４は、支持材５０及びフレーム体３０よりも低い剛性を有する。クッション部５４は、例えば、弾性を有する。クッション部５４には、例えば、床面材１１と同様の熱可塑性発泡樹脂が用いられる。クッション部５４は、例えば、厚さ１ｍｍ〜５ｍｍ程度の熱可塑性発泡樹脂のシートである。但し、クッション部５４の材料は、上記に限ることなく、支持材５０及びフレーム体３０よりも低い剛性（弾性）を有する任意の材料でよい。
【００６２】
支持材５０の露出部５０ｐは、クッション部５４を介してフレーム体３０の上に当接する。但し、クッション部５４は、必要に応じて設けられ、省略可能である。支持材５０の露出部５０ｐは、フレーム体３０の上に直接的に当接してもよい。
【００６３】
図６（ａ）及び図６（ｂ）は、床面材を模式的に表す断面図である。  
図６（ａ）及び図６（ｂ）は、床面材１１内に支持材５０が完全に埋め込まれた参考例の断面を模式的に表している。
【００６４】
図６（ａ）は、床面材１１の形成途中又は形成直後の状態を模式的に表している。床面材１１は、例えば、発泡剤に熱を加え、発泡剤を型内で発泡させることによって形成される。このため、床面材１１の形成途中又は形成直後の状態では、床面材１１の下面１１ｂ及び上面１１ｃは、型の形状に応じた凹凸の無い平坦な平面状に形成される。床面材１１の形成途中又は形成直後の状態とは、換言すれば、床面材１１が熱を持っている状態である。
【００６５】
図６（ｂ）は、床面材１１を形成した後、床面材１１が常温まで冷えた状態を模式的に表している。図６（ｂ）に表したように、床面材１１が冷えると、下面１１ｂ及び上面１１ｃに微細な凹凸が生じてしまう場合がある。出願人は、鋭意の検討の結果、凹凸の一因が、熱収縮量の差であることを見出した。
【００６６】
支持材５０を床面材１１の内部に一体成形した場合、支持材５０が有る部分と、支持材５０が無い部分と、では、床面材１１自体の厚さが変化する。支持材５０が有る部分の床面材１１自体の厚さＴｆ１、Ｔｆ２は、支持材５０が無い部分の床面材１１自体の厚さＴｆ３よりも薄くなる。床面材１１の熱収縮量は、厚さにともなって大きくなる。すなわち、出願人は、床面材１１自体の厚さの違いに起因する熱収縮量の差によって、床面材１１の下面１１ｂ及び上面１１ｃに微細な凹凸が生じてしまうことを見出した。
【００６７】
こうした床面材１１の下面１１ｂの凹凸は、床面材１１をフレーム体３０（架台）の上に載置する際に、床面材１１をフレーム体３０に対して安定して取り付け難くさせてしまう。例えば、床面材１１のガタツキなどを発生させてしまう恐れがある。
【００６８】
これに対して、本実施形態に係る洗い場床１０（浴室洗い場床構造）では、床面材１１が、支持材５０の少なくとも一部を下方に露出させた状態で支持材５０を保持し、支持材５０が、下方に露出する露出部５０ｐを有し、フレーム体３０の少なくとも一部が、支持材５０の露出部５０ｐの下方に配置され、露出部５０ｐを介して床面材１１を下方から支持する。これにより、床面材１１の下面１１ｂに凹凸が生じたとしても、床面材１１を安定してフレーム体３０に取り付けることができる。例えば、床面材１１の下面１１ｂの凹凸により、床面材１１にガタツキが発生してしまうことなどを抑制することができる。
【００６９】
また、洗い場床１０では、支持材５０が、少なくとも上面が床面材１１の内部に配置されており、露出部５０ｐは、床面材１１の下端１１ａよりも上方に配置されている。断熱性や強度の観点などから、床面材１１には、所定の厚さが必要である。例えば、必要な厚さを有する板状の床面材１１の下面１１ｂに支持材５０を設けた場合、洗い場床１０の高さが、支持材５０の高さの分だけ不要に高くなってしまう可能性が生じる。一方で、板状の床面材１１の下面１１ｂに支持材５０を設けつつ、洗い場床１０の高さを抑えるために支持材５０の高さの分だけ床面材１１の厚さを薄くすると、床面材１１の断熱性や強度の低下が懸念される。
【００７０】
洗い場床１０では、床面材１１の下端１１ａよりも上方に露出部５０ｐを配置することにより、洗い場床１０の高さが不要に高くなることを抑制しつつ、支持材５０の無い部分において床面材１１に適切な厚さを持たせることができ、床面材１１において適切な断熱性及び強度を確保することができる。
【００７１】
また、洗い場床１０では、床本体１５の表面１５ａよりも下方に設けられるとともに、フレーム体３０に対して直接的に固定されることなくフレーム体３０の上に設けられ、床面材１１よりも高い剛性を有し、床面材１１の沈み込みを抑制する支持材５０を備えたことにより、フレーム体３０の上に熱可塑性樹脂製の床面材１１を配置した際にも、人が洗い場床１０に載った際の荷重によって、床面材１１が大きく沈み込んでしまうことを抑制することができる。また、間隔の狭い格子などをフレーム体３０に設ける必要が無く、フレーム体３０の下方の視認性を確保し、かつ支持脚３３の調整などをし易くすることができる。従って、床面材１１が大きく沈み込んで歩き心地が悪くなる問題や、洗い場床１０に必要な排水勾配が適切に維持できないといった問題を解決しつつ、施工性を向上させることができる。
【００７２】
また、洗い場床１０では、高さ方向に厚みを有する複数の第１横支持材５１ａ〜５１ｇ及び複数の第２横支持材５２ａ、５２ｂによって、床面材１１が大きく沈み込んでしまうことを、より確実に抑制することができる。さらに、第１横支持材５１ａ〜５１ｇ及び第２横支持材５２ａ、５２ｂの上端が、床面材１１の下端１１ａよりも上方に位置することにより、第１横支持材５１ａ〜５１ｇ及び第２横支持材５２ａ、５２ｂが配置されている箇所と配置されていない箇所とで、床面材１１の底部に大きな段差が生じてしまうことを抑制でき、意図した洗い場床１０の排水勾配を、より適切に維持することができる。
【００７３】
また、洗い場床１０では、第１横支持材５１ａ〜５１ｇ及び第２横支持材５２ａ、５２ｂが、上面視において、少なくとも一部がフレーム体３０の外枠３１及び格子部３２と重ならない位置に配置されていることにより、横支持材の本数が少ない場合であっても、床面材１１が沈み込んでしまうことを、より確実に抑制することができる。
【００７４】
また、洗い場床１０では、上面視において、複数の第１延在部４１と複数の第１横支持材５１ａ〜５１ｇとの間隔ＰＴ１が、１０ｃｍ以下であり、複数の第２延在部４２と複数の第２横支持材５２ａ、５２ｂとの間隔ＰＴ２が、１０ｃｍ以下である。これにより、複数の第１延在部４１、第２延在部４２、第１横支持材５１ａ〜５１ｇ、及び第２横支持材５２ａ、５２ｂによって、しっかりと床面材１１の沈み込みを抑制することができる。
【００７５】
間隔ＰＴ１、ＰＴ２は、より好ましくは、７ｃｍ以下である。間隔ＰＴ１、ＰＴ２を７ｃｍ以下とすることにより、例えば、二足歩行可能な年齢以上の人の足のサイズよりも間隔ＰＴ１、ＰＴ２を小さくすることができる。従って、洗い場床１０上に人が立って荷重がかかっても、足の裏からの荷重をフレーム体３０及び支持材５０で受けることができ、大きく撓まないようにすることができる。このため、より安定感のある洗い場床１０を提供することができる。このように、間隔ＰＴ１、ＰＴ２は、子供の足のサイズを鑑みると、７ｃｍ以下がより好ましい。
【００７６】
洗い場床１０では、第１横支持材５１ａ〜５１ｇ及び第２横支持材５２ａ、５２ｂ同士の間に床面材１１の一部が設けられている。換言すれば、インサートされた第１横支持材５１ａ〜５１ｇ、及び第２横支持材５２ａ、５２ｂ同士の間に床面材１１の一部が充填されている。この場合、床面材１１の下方への沈み込み、及び幅方向への広がりを、挟んでいる複数の横支持材によって抑制することができる。従って、例えば、間隔ＰＴ１、ＰＴ２を７ｃｍ〜１０ｃｍの範囲に設定したとしても、比較的体重の軽い７ｃｍ程度の足のサイズの子供の荷重によって、床面材１１が大きく沈み込んでしまうことを、より確実に抑制することができる。
【００７７】
例えば、上記のように、複数の第１延在部４１の一部の間隔ＰＴ３、及び複数の第２延在部４２の一部の間隔ＰＴ４を、１４ｃｍ以上にすることができる。これにより、施工者の腕などをフレーム体３０の下方に入れ易くし、施工性をより向上させることができる。
【００７８】
また、洗い場床１０では、クッション部５４をさらに備えることにより、支持材５０に荷重が掛かった際に、金属製のフレーム体３０に当接することで異音が発生したり、フレーム体３０や支持材５０が破損してしまったりすることを抑制することができる。
【００７９】
図７は、実施形態に係る浴室ユニットの洗い場床構造の変形例を模式的に表す断面図である。  
図７は、図５と実質的に同じ断面を模式的に表している。なお、上記実施形態と機能・構成上実質的に同じものについては、同符号を付し、詳細な説明は省略する。
【００８０】
図７に表したように、この例では、支持材５０が、床面材１１の下面１１ｂに取り付けられている。このため、この例では、支持材５０の下面の略全体が下方に露出する。すなわち、この例では、支持材５０の下面の略全体が、露出部５０ｐである。このように、床面材１１は、支持材５０の下面の略全体を下方に露出させた状態で支持材５０を保持してもよい。このような構成は、例えば、支持材５０を床面材１１の下面１１ｂに接着することによって実現可能である。このように、支持材５０は、必ずしも支持材５０の内部に埋め込まれていなくてもよい。
【００８１】
また、図７に表したように、この例では、露出部５０ｐが、床面材１１の下端１１ａよりも下方に配置されている。このように、露出部５０ｐは、必ずしも床面材１１の下端１１ａよりも上方に配置されていなくてもよい。但し、前述のように、露出部５０ｐを床面材１１の下端１１ａよりも上方に配置することにより、洗い場床１０の高さが不要に高くなることを抑制しつつ、床面材１１において適切な断熱性及び強度を確保することができる。
【００８２】
上記実施形態では、支持材５０が、それぞれ独立した複数の第１横支持材５１ａ〜５１ｇと、複数の第２横支持材５２ａ、５２ｂと、を有している。これに限ることなく、支持材５０は、連続した１つの部材で構成してもよい。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
２ 浴室ユニット、  １０ 洗い場床、  １１ 床面材、  １１ａ 下端、  １１ｂ 下面、  １１ｃ 上面、  １２ クッション層、  １３ 表面材、  １５ 床本体、  １５ａ 表面、  ２１ 開口部、  ２２ 開口部、  ２３ 開口部、  ３０ フレーム体、  ３１ 外枠、  ３１ａ〜３１ｄ フレーム、  ３２ 格子部、  ３３ 支持脚、  ３４ 開口部、  ４１ 第１延在部、  ４２ 第２延在部、  ５０ 支持材、  ５１ａ〜５１ｇ 第１横支持材、  ５２ａ、５２ｂ 第２横支持材、  ５４ クッション部、  ６０ 浴槽、  ６１ 支持脚、  ６２ 排水配管、  ６３ 蓋、  ６５ａ 小パネル、  ６５ｂ 小パネル、  ６７ バスエプロン、  ７１ａ〜７１ｆ 壁パネル、  １００ 設置面
【図１】
2020101000.tif 000003
【図２】
2020101000.tif 000004
【図３】
2020101000.tif 000005
【図４】
2020101000.tif 000006
【図５】
2020101000.tif 000007
【図６】
2020101000.tif 000008
【図７】
2020101000.tif 000009